(57)【要約】【課題】簡単かつ安価な構成で、複数枚のプラスチックレンズをレンズ性能の低下を抑えて安定して保持できるレンズ鏡筒を提供する。【解決手段】それぞれプラスチック材料からなる第１レンズ２１および第２レンズ２２を少なくとも備えるレンズ鏡筒１において、第１レンズ２１および第２レンズ２２を保持するレンズ枠５を備え、第１レンズ２１および第２レンズ２２は、それぞれレンズ領域２１ａ，２２ａから径方向に突出するコバ部２１ｂ、２２ｂを有し、第１レンズ２１および第２レンズ２２は、対応するコバ部がレンズ枠５に径嵌合され、かつ、対応するコバ部同士が光軸方向において当接して、レンズ枠５に保持されている。【選択図】図１
2012155093.tif 000002
【特許請求の範囲】
【請求項１】
それぞれプラスチック材料からなる第１レンズおよび第２レンズを少なくとも有するレンズ群を備えるレンズ鏡筒において、
前記第１レンズおよび前記第２レンズを保持するレンズ枠を備え、
前記第１レンズおよび前記第２レンズは、それぞれレンズ領域から径方向に突出するコバ部を有し、
前記第１レンズおよび前記第２レンズは、対応する前記コバ部が前記レンズ枠に径嵌合され、かつ、対応する前記コバ部同士が光軸方向において当接して、前記レンズ枠に保持されている、
ことを特徴とするレンズ鏡筒。
【請求項２】
前記第１レンズは、前記第２レンズよりも径が大きく形成されており、
前記レンズ枠は、前記第１レンズを径嵌合する大径部と、前記第２レンズを径嵌合する小径部とを有し、
前記第１レンズは、対応する前記コバ部が、光軸方向において前記レンズ枠の前記大径部と前記小径部との段差部に当接して前記大径部に径嵌合され、
前記第２レンズは、対応する前記コバ部が、光軸方向において前記第１レンズの前記コバ部に当接して前記小径部に径嵌合されている、
ことを特徴とする請求項１に記載のレンズ鏡筒。
【請求項３】
前記第１レンズおよび前記第２レンズは、それぞれ対応する前記コバ部の外周部で前記レンズ枠に接着されている、
ことを特徴とする請求項１または２に記載のレンズ鏡筒。
【発明の詳細な説明】
【技術分野】
【０００１】
本発明は、レンズ鏡筒に関するものである。
【背景技術】
【０００２】
近年、デジタルカメラ等の撮像装置に使用されるレンズ鏡筒として、例えば少なくとも１枚のレンズがプラスチックレンズからなる複数枚のレンズを保持したものが知られている（例えば、特許文献１参照）。このレンズ鏡筒では、複数枚のレンズの各々を、それぞれ異なるレンズ枠に単独で保持するようにしている。
【先行技術文献】
【特許文献】
【０００３】
【特許文献１】特開２００３−２６２７７７号公報
【発明の概要】
【発明が解決しようとする課題】
【０００４】
しかしながら、特許文献１に開示のレンズ鏡筒にあっては、レンズの枚数に応じたレンズ枠を要するため、構成が複雑になるとともに、コストアップを招くことが懸念される。また、レンズ間距離がレンズ性能に大きな影響を及ぼすレンズ設計の場合は、レンズ枠の寸法のばらつきの影響を受けてレンズ性能が低下することが懸念される。
【０００５】
したがって、かかる点に鑑みてなされた本発明の目的は、簡単かつ安価な構成で、複数枚のプラスチックレンズをレンズ性能の低下を抑えて安定して保持できるレンズ鏡筒を提供することにある。
【課題を解決するための手段】
【０００６】
上記目的を達成する本発明に係るレンズ鏡筒は、それぞれプラスチック材料からなる第１レンズおよび第２レンズを少なくとも備えるレンズ鏡筒において、
前記第１レンズおよび前記第２レンズを保持するレンズ枠を備え、
前記第１レンズおよび前記第２レンズは、それぞれレンズ領域から径方向に突出するコバ部を有し、
前記第１レンズおよび前記第２レンズは、対応する前記コバ部が前記レンズ枠に径嵌合され、かつ、対応する前記コバ部同士が光軸方向において当接して、前記レンズ枠に保持されている、
ことを特徴とするものである。
【０００７】
本発明の一実施の形態においては、前記第１レンズは、前記第２レンズよりも径が大きく形成されており、
前記レンズ枠は、前記第１レンズを径嵌合する大径部と、前記第２レンズを径嵌合する小径部とを有し、
前記第１レンズは、対応する前記コバ部が、光軸方向において前記レンズ枠の前記大径部と前記小径部との段差部に当接して前記大径部に径嵌合され、
前記第２レンズは、対応する前記コバ部が、光軸方向において前記第１レンズの前記コバ部に当接して前記小径部に径嵌合されている、
ことを特徴とするものである。
【０００８】
本発明の一実施の形態においては、前記第１レンズおよび前記第２レンズは、それぞれ対応する前記コバ部の外周部で前記レンズ枠に接着されている、
ことを特徴とするものである。
【発明の効果】
【０００９】
本発明によれば、第１レンズおよび第２レンズは、一つのレンズ枠に対して、径方向についてはレンズ枠に径嵌合されて位置決めされ、光軸方向についてはそれぞれのコバ部が当接して位置決めされて保持されるので、簡単かつ安価な構成で、複数枚のプラスチックレンズをレンズ性能の低下を抑えて安定して保持することが可能となる。
【図面の簡単な説明】
【００１０】
【図１】本発明の一実施の形態に係るレンズ鏡筒の構成を示す断面図である。
【図２】図１の部分詳細断面部である。
【発明を実施するための形態】
【００１１】
以下、本発明の一実施の形態について、図を参照して説明する。
【００１２】
図１および図２は、本発明の一実施の形態に係るレンズ鏡筒の構成を示す図で、図１は全体の断面図であり、図２は図１の部分詳細断面部である。本実施の形態に係るレンズ鏡筒１は、撮影レンズ群を保持するものである。なお、以下の説明では、レンズ鏡筒１に保持された撮影レンズ群の被写体側を前方とする。
【００１３】
図１に示すように、レンズ鏡筒１は、カメラ本体側に固定される固定枠２と、固定枠２の内周に嵌合して回転進退可能に支持される回転枠３と、回転枠３の内周に嵌合し、共に進退移動する直進案内枠４と、直進案内枠４の内方に挿入され、進退移動する第一群枠５と、直進案内枠４の内方に挿入され、進退移動するシャッタ枠７および第二群枠６と、固定枠２の後側内部に支持される第三群枠８、第四群枠９、および、撮像素子１０を含む撮像部ユニットと、固定枠２の外周部に支持されるズーム駆動ユニット（図示せず）とを有している。
【００１４】
第一群枠５、第二群枠６、第三群枠８および第四群枠９は、それぞれ、第一群レンズ１１、第二群レンズ１２、第三群レンズ１３および第四群レンズ１４を保持する。第一群枠５は、前方部に開閉可能なバリア１６が設けられており、シャッタ枠７には、シャッタ羽根とこれを開閉駆動するシャッタアクチュエータ（図示せず）とが設けられている。
【００１５】
レンズ鏡筒１の沈胴状態からズーム駆動ユニットにより回転枠３を回転駆動すると、第一群枠５、シャッタ枠７、第二群枠６は、直進案内枠４によりともに回転規制された状態で回転枠３の移動に伴って沈胴位置から撮影可能な位置まで繰り出されるとともに、回転枠３に設けられたカム溝に沿ってそれぞれ変位する。その後の、ズーム駆動時には、それぞれのズーム位置に進退移動する。
【００１６】
撮像時には、フォーカス駆動ユニット（図示せず）により第三群レンズ１３を被写体距離に応じた位置に進退駆動する。
【００１７】
以上のような、撮影レンズ群を保持するレンズ鏡筒１の駆動方法については、例えば、特開２００７−１９９３１２号公報等に開示されるように、種々の方法が公知である。したがって、本実施の形態におけるレンズ鏡筒の駆動方法としては、そのような公知の方法を使用することができるので、詳細については省略する。
【００１８】
次に、図２を参照して、第一群枠５による第一群レンズ１１の保持構造について説明する。
【００１９】
第一群レンズ１１は、異なるプラスチック材料からなる第１レンズ２１と第２レンズ２２とによって構成される。第１レンズ２１は、第２レンズ２２の前方に位置し、例えば、ゼオネックス材料により構成される負のパワーを有する両凹レンズである。第２レンズ２２は、例えば、ポリカーボネート材料より構成される正のパワーを有する前方に凸面を向けた正メニスカスレンズである。
【００２０】
第１レンズ２１は、レンズ領域２１ａから径方向に突出するコバ部２１ｂを有する。同様に、第２レンズ２２は、レンズ領域２２ａから径方向に突出するコバ部２２ｂを有する。なお、第２レンズ２２のコバ部２２ｂは、前方に突出する部分を有している。本実施の形態においては、第１レンズ２１が第２レンズ２２よりも径が大きくなるように、それぞれのコバ部２１ｂ、２２ｂが形成されている。
【００２１】
一方、第一群枠５は、第１レンズ２１を径嵌合する大径部５ａと、第２レンズ２２を径嵌合する小径部５ｂとを有している。
【００２２】
そして、第１レンズ２１は、コバ部２１ｂが、光軸方向において第一群枠５の大径部５ａと小径部５ｂとの段差部５ｃに当接して大径部５ａに径嵌合されている。これにより、第１レンズ２１は、第一群枠５に、径方向および光軸方向に位置決めされて保持される。
【００２３】
また、第２レンズ２２は、コバ部２２ｂの前方に突出した部分が、光軸方向において第１レンズ２１のコバ部２１ｂに当接して、第一群枠５の小径部５ｂに径嵌合されている。これにより、第２レンズ２２は、第１レンズ２１との所定のレンズ間隔を維持した状態で、第一群枠５に、径方向および光軸方向に位置決めされて保持される。
【００２４】
さらに、第１レンズ２１のコバ部２１ｂの外周部および第２レンズ２２のコバ部２２ｂの外周部は、それぞれ接着剤で第一群枠５に接着される。このように、第１レンズ２１および第２レンズ２２を、それぞれのコバ部２１ｂ，２２ｂの外周部で接着固定することにより、それぞれのレンズ領域２１ａ，２２ａに接着剤が流れ込んで光学特性が劣化するのを防止することができる。
【００２５】
以上説明したように、本実施の形態に係るレンズ鏡筒１においては、プラスチック材料からなる第１レンズ２１および第２レンズ２２を、第一群枠５に対して、径方向については径嵌合されて位置決めし、光軸方向についてはそれぞれのコバ部２１ｂ、２２ｂが当接して位置決めして保持している。したがって、簡単な構成で、第１レンズ２１および第２レンズ２２をレンズ性能の低下を抑えて安定して保持することができるので、第１レンズ２１および第２レンズ２２がプラスチック材料からなることと相俟って、レンズ鏡筒１のコストダウンが図れる。
【００２６】
なお、本発明は、上記実施の形態にのみ限定されるものではなく、幾多の変形または変更が可能である。例えば、本発明は、四群構成のレンズ鏡筒に限られず、一群以上のレンズ群を有するレンズ鏡筒に適用することが可能である。また、第１レンズ２１および第２レンズ２２は、それぞれ負のパワーおよび正のパワーに限らず、種々のパワーの組み合わせとすることが可能である。また、第１レンズ２１および第２レンズ２２を構成するプラスチック材料は、ゼオネックスやポリカーボネートに限らず、種々の公知の材料を用いることが可能である。
【符号の説明】
【００２７】
１    レンズ鏡筒
２    固定枠
３    回転枠
４    直進案内枠
５    第一群枠
５ａ  大径部
５ｂ  小径部
５ｃ  段差部
６    第二群枠
７    シャッタ枠
８    第三群枠
９    第四群枠
１０    撮像素子
１１    第一群レンズ
１２    第二群レンズ
１３    第三群レンズ
１４    第四群レンズ
１６    バリア
２１    第１レンズ
２１ａ    レンズ領域
２１ｂ    コバ部
２２    第２レンズ
２２ａ    レンズ領域
２２ｂ    コバ部
【図１】
2012155093.tif 000003
【図２】
2012155093.tif 000004